【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、複数の可変表示部において各々が識別可能な複数種類の識別情報を変動表示させる可変表示装置に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として入賞表示結果を導出させることを許容するか否かを決定し、該決定結果に応じた決定情報を設定する事前決定手段と、
所定の変動開始条件が成立したときに、前記複数の可変表示部における識別情報の変動表示を開始させる変動開始制御手段と、
遊技者の操作により、前記複数の可変表示部における識別情報の変動表示を停止させることをそれぞれ指示する停止操作手段と、
前記複数の可変表示部のそれぞれに対応する前記停止操作手段の操作を検出する停止操作検出手段と、
少なくとも前記所定の変動開始条件が成立した以降に成立可能な計時開始条件が成立してから経過した時間を計測する計時手段と、
前記複数の可変表示部のそれぞれについて前記停止操作検出手段が前記停止操作手段の操作を検出したことまたは前記計時手段が所定の時間を計時したことにより変動停止条件が成立したときに、該変動停止条件が成立した可変表示部において識別情報の変動表示を予め定められた最大遅延時間の範囲内で停止させる変動停止制御手段とを備え、
前記変動停止制御手段は、
前記停止操作検出手段が前記停止操作手段の操作を検出したことにより変動停止条件が成立したときに、該変動停止条件が成立した可変表示部において前記最大遅延時間の範囲内で導出可能な識別情報のうちから前記決定情報の設定に応じた識別情報を導出して変動表示を停止させる操作停止制御手段と、
前記複数の可変表示部の全てについて前記計時手段が所定の時間を計時したことにより変動停止条件が成立したときに、各可変表示部において前記最大遅延時間の範囲内で導出可能な識別情報のうちから前記決定情報の設定に関わらず前記入賞表示結果を構成しない識別情報を導出して変動表示を停止させる時間停止制御手段とを備える
ことを特徴とするスロットマシン。
【請求項２】
前記時間停止制御手段は、前記計時手段が所定の時間を計時したことにより変動停止条件が成立したときに、前記停止操作検出手段が前記停止操作手段の操作を検出したことにより変動停止条件が既に成立した可変表示部があるか否かに関わらずに、前記決定情報の設定に関わらず前記入賞表示結果を構成しない識別情報を導出して変動表示を停止させる
ことを特徴とする請求項１に記載のスロットマシン。
【請求項３】
１ゲームに対して所定数の賭数を設定することによりゲームを開始させることが可能となり、複数の可変表示部において各々が識別可能な複数種類の識別情報を変動表示させる可変表示装置に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として第１入賞表示結果と第２入賞表示結果とを含む入賞表示結果を導出させることを許容するか否かを決定し、該決定結果に応じた決定情報を設定する事前決定手段と、
所定の変動開始条件が成立したときに、前記複数の可変表示部における識別情報の変動表示を開始させる変動開始制御手段と、
遊技者の操作により、前記複数の可変表示部における識別情報の変動表示を停止させることをそれぞれ指示する停止操作手段と、
前記複数の可変表示部のそれぞれに対応する前記停止操作手段の操作を検出する停止操作検出手段と、
少なくとも前記所定の変動開始条件が成立した以降に成立可能な計時開始条件が成立してから経過した時間を計測する計時手段と、
前記複数の可変表示部のそれぞれについて前記停止操作検出手段が前記停止操作手段の操作を検出したことまたは前記計時手段が所定の時間を計時したことにより変動停止条件が成立したときに、該変動停止条件が成立した可変表示部において識別情報の変動表示を予め定められた最大遅延時間の範囲内で停止させる変動停止制御手段と、
前記第１入賞表示結果の導出を許容する旨を示す決定情報が設定され、該決定情報に基づいて前記第１入賞表示結果が導出されないときに、該決定情報を当該ゲームで消去する決定情報消去手段と、
前記第２入賞表示結果の導出を許容する旨を示す決定情報が設定され、該決定情報に基づいて前記第２入賞表示結果が導出されないときに、該決定情報を次ゲーム以降に持ち越す決定情報持越手段とを備え、
前記変動停止制御手段は、
前記第１入賞表示結果の導出を許容する旨を示す決定情報が設定されていることを条件として、前記変動停止条件が成立したときに、該変動停止条件が成立した可変表示部において前記最大遅延時間の範囲内で導出可能な識別情報のうちから前記第１入賞表示結果の導出を許容する旨を示す決定情報に応じた識別情報を導出して変動表示を停止させる第１停止制御手段と、
前記第２入賞表示結果の導出を許容する旨を示す決定情報が設定されていることを条件として、前記停止操作検出手段が前記停止操作手段の操作を検出したことにより変動停止条件が成立したときに、該変動停止条件が成立した可変表示部において前記最大遅延時間の範囲内で導出可能な識別情報のうちから前記決定情報の設定に応じた識別情報を導出して変動表示を停止させる操作停止制御手段と、
前記第２入賞表示結果の導出を許容する旨を示す決定情報が設定されていることを条件として、前記複数の可変表示部の全てについて前記計時手段が所定の時間を計時したことにより変動停止条件が成立したときに、各可変表示部において前記最大遅延時間の範囲内で導出可能な識別情報のうちから前記決定情報の設定に関わらず前記第２入賞表示結果を構成しない識別情報を導出して変動表示を停止させる時間停止制御手段とを備える
ことを特徴とするスロットマシン。
【請求項４】
前記時間停止制御手段は、前記計時手段が所定の時間を計時したことにより変動停止条件が成立したときに、前記停止操作検出手段が前記停止操作手段の操作を検出したことにより変動停止条件が既に成立した可変表示部があるか否かに関わらずに、前記決定情報の設定に関わらず前記第２入賞表示結果を構成しない識別情報を導出して変動表示を停止させる
ことを特徴とする請求項３に記載のスロットマシン。
【請求項５】
前記時間停止制御手段は、前記計時手段が所定の時間を計時したことにより変動停止条件が成立したときに、前記停止操作検出手段が前記停止操作手段の操作を検出したことにより変動停止条件が既に成立した可変表示部があることを条件として、前記決定情報の設定に応じ識別情報を導出させる
ことを特徴とする請求項１または３に記載のスロットマシン。
【請求項６】
前記時間停止制御手段は、前記計時手段が所定の時間を計時したことにより変動停止条件が成立した可変表示部が複数あるときに、該複数の可変表示部のうちで最終停止される１つ前に停止される可変表示部における識別情報の変動表示を停止させる最終前停止制御手段を備え、
前記最終前停止制御手段は、前記最大遅延時間の範囲内で導出可能な識別情報のうちから入賞表示結果の一部を構成するリーチ表示態様を導出させることとなる識別情報を導出させると最終停止される可変表示部に識別情報を導出するときに前記入賞表示結果を導出することが不可避となる不能パターンと一致することとなるときに、該最大遅延時間の版にないで導出可能な識別情報のうちから該不能パターンを導出させない識別情報を導出させる
ことを特徴とする請求項１乃至５のいずれか１項に記載のスロットマシン。
【請求項７】
前記時間停止制御手段は、前記計時手段が所定の時間を計時したことにより変動停止条件が成立した可変表示部が複数あるときに、該複数の可変表示部のうちから変動表示を停止させる可変表示部の順序を選択する停止順序選択手段をさらに備え、
前記停止順序選択手段は、最終停止される可変表示部に識別情報を導出するときに前記入賞表示結果を導出することが不可避となる不能パターンが該最終停止される可変表示部の１つ前に停止される可変表示部において出現しない順序で、変動表示を停止させる可変表示部の順序を選択する
ことを特徴とする請求項１乃至６のいずれか１項に記載のスロットマシン。
【請求項８】
前記計時手段が計時している時間、または該計時手段が計時している時間が前記所定の時間となるまでの残り時間の少なくとも一方を識別可能な情報を報知する時間報知手段をさらに備える
ことを特徴とする請求項１乃至７のいずれか１項に記載のスロットマシン。
【請求項９】
前記計時手段が計時している時間が前記所定の時間となるまでの残り時間が該所定の時間よりも短い予め定められた特定時間となったときに、該特定時間となった旨を識別可能な情報を報知する特定時間報知手段をさらに備える
ことを特徴とする請求項１乃至８のいずれか１項に記載のスロットマシン。
【請求項１０】
前記時間停止制御手段により前記入賞表示結果を構成しない識別情報が導出されたときに、前記停止操作手段が操作されなかったことに基づいて識別情報が導出された旨を報知する非停止操作報知手段をさらに備える
ことを特徴とする請求項１乃至９のいずれか１項に記載のスロットマシン。
【手続補正２】
【補正対象書類名】明細書
【補正対象項目名】０００９
【補正方法】変更
【補正の内容】
【０００９】
上記目的を達成するため、本発明の第１の観点にかかるスロットマシンは、
１ゲームに対して所定数の賭数を設定することによりゲームを開始させることが可能となり、複数の可変表示部（リール３Ｌ、３Ｃ、３Ｒ）において各々が識別可能な複数種類の識別情報を変動表示させる可変表示装置（可変表示装置２）に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として入賞表示結果を導出させることを許容するか否かを決定し、該決定結果に応じた決定情報（当選フラグ）を設定する事前決定手段（ステップＳ３）と、
所定の変動開始条件（スタートレバー１１の操作）が成立したときに、前記複数の可変表示部における識別情報の変動表示を開始させる変動開始制御手段（ステップＳ４）と、
遊技者の操作により、前記複数の可変表示部における識別情報の変動表示を停止させることをそれぞれ指示する停止操作手段（停止ボタン１２Ｌ、１２Ｃ、１２Ｒ）と、
前記複数の可変表示部のそれぞれに対応する前記停止操作手段の操作を検出する停止操作検出手段（ストップスイッチ４２Ｌ、４２Ｃ、４２Ｒ）と、
少なくとも前記所定の変動開始条件が成立した以降に成立可能な計時開始条件が成立してから経過した時間を計測する計時手段（ＣＰＵ１１１、１２１）と、
前記複数の可変表示部のそれぞれについて前記停止操作検出手段が前記停止操作手段の操作を検出したことまたは前記計時手段が所定の時間を計時したことにより変動停止条件が成立したときに、該変動停止条件が成立した可変表示部において識別情報の変動表示を予め定められた最大遅延時間（１９０ミリ秒）の範囲内で停止させる変動停止制御手段（ステップＳ５）とを備え、
前記変動停止制御手段は、
前記停止操作検出手段が前記停止操作手段の操作を検出したことにより変動停止条件が成立したときに、該変動停止条件が成立した可変表示部において前記最大遅延時間の範囲内で導出可能な識別情報のうちから前記決定情報の設定に応じた識別情報を導出して変動表示を停止させる操作停止制御手段（ステップＳ２０８、Ｓ２０９）と、
前記複数の可変表示部の全てについて前記計時手段が所定の時間を計時したことにより変動停止条件が成立したときに、各可変表示部において前記最大遅延時間の範囲内で導出可能な識別情報のうちから前記決定情報の設定に関わらず前記入賞表示結果を構成しない識別情報を導出して変動表示を停止させる時間停止制御手段（ステップＳ２１２〜Ｓ２１４）とを備える
ことを特徴とする。
【手続補正３】
【補正対象書類名】明細書
【補正対象項目名】００１０
【補正方法】変更
【補正の内容】
【００１０】
上記第１の観点にかかるスロットマシンでは、停止操作手段の操作を検出したことにより各可変表示部における変動表示が停止されるときには、最大遅延時間の範囲で導出可能な識別情報のうちから決定情報の設定に応じた識別情報を導出させるものとなっている。つまり、遊技者による停止操作手段の操作という技術介入により、偶然性の要素だけで入賞表示結果が導出されるのを防止して射倖性の抑制の担保が図られることとなる。
【手続補正４】
【補正対象書類名】明細書
【補正対象項目名】００１１
【補正方法】変更
【補正の内容】
【００１１】
これに対して、遊技者によって停止操作手段が操作されなくても、計時手段が所定の時間を計時すれば全ての可変表示部における変動表示が停止される。このため、１ゲーム当たりに要する時間を制限することができ、スロットマシンの実質的な稼働率の低下を防止することができる。また、ここで変動表示が停止されるときには、決定情報の設定に関わらず入賞表示結果を構成しない識別情報を導出させるので、偶然性の要素だけで入賞表示結果が導出されることはなく、射倖性の抑制の担保を図ることができる。
【手続補正５】
【補正対象書類名】明細書
【補正対象項目名】００１２
【補正方法】変更
【補正の内容】
【００１２】
上記目的を達成するため、本発明の第２の観点にかかるスロットマシンは、
１ゲームに対して所定数の賭数を設定することによりゲームを開始させることが可能となり、複数の可変表示部（リール３Ｌ、３Ｃ、３Ｒ）において各々が識別可能な複数種類の識別情報を変動表示させる可変表示装置（可変表示装置２）に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として第１入賞表示結果（小役）と第２入賞表示結果（ボーナス）とを含む入賞表示結果を導出させることを許容するか否かを決定し、該決定結果に応じた決定情報（当選フラグ）を設定する事前決定手段（ステップＳ３）と、
所定の変動開始条件（スタートレバー１１の操作）が成立したときに、前記複数の可変表示部における識別情報の変動表示を開始させる変動開始制御手段（ステップＳ４）と、
遊技者の操作により、前記複数の可変表示部における識別情報の変動表示を停止させることをそれぞれ指示する停止操作手段（停止ボタン１２Ｌ、１２Ｃ、１２Ｒ）と、
前記複数の可変表示部のそれぞれに対応する前記停止操作手段の操作を検出する停止操作検出手段（ストップスイッチ４２Ｌ、４２Ｃ、４２Ｒ）と、
少なくとも前記所定の変動開始条件が成立した以降に成立可能な計時開始条件が成立してから経過した時間を計測する計時手段（ＣＰＵ１１１、１２１）と、
前記複数の可変表示部のそれぞれについて前記停止操作検出手段が前記停止操作手段の操作を検出したことまたは前記計時手段が所定の時間を計時したことにより変動停止条件が成立したときに、該変動停止条件が成立した可変表示部において識別情報の変動表示を予め定められた最大遅延時間の範囲内で停止させる変動停止制御手段（ステップＳ５）と、
前記第１入賞表示結果の導出を許容する旨を示す決定情報が設定され、該決定情報に基づいて前記第１入賞表示結果が導出されないときに、該決定情報を当該ゲームで消去する決定情報消去手段（ステップＳ３０６）と、
前記第２入賞表示結果の導出を許容する旨を示す決定情報が設定され、該決定情報に基づいて前記第２入賞表示結果が導出されないときに、該決定情報を次ゲーム以降に持ち越す決定情報持越手段（ステップＳ３０６）とを備え、
前記変動停止制御手段は、
前記第１入賞表示結果の導出を許容する旨を示す決定情報が設定されていることを条件として、前記変動停止条件が成立したときに、該変動停止条件が成立した可変表示部において前記最大遅延時間の範囲内で導出可能な識別情報のうちから前記第１入賞表示結果の導出を許容する旨を示す決定情報に応じた識別情報を導出して変動表示を停止させる第１停止制御手段と、
前記第２入賞表示結果の導出を許容する旨を示す決定情報が設定されていることを条件として、前記停止操作検出手段が前記停止操作手段の操作を検出したことにより変動停止条件が成立したときに、該変動停止条件が成立した可変表示部において前記最大遅延時間の範囲内で導出可能な識別情報のうちから前記決定情報の設定に応じた識別情報を導出して変動表示を停止させる操作停止制御手段と、
前記第２入賞表示結果の導出を許容する旨を示す決定情報が設定されていることを条件として、前記複数の可変表示部の全てについて前記計時手段が所定の時間を計時したことにより変動停止条件が成立したときに、各可変表示部において前記最大遅延時間の範囲内で導出可能な識別情報のうちから前記決定情報の設定に関わらず前記第２入賞表示結果を構成しない識別情報を導出して変動表示を停止させる時間停止制御手段とを備える
ことを特徴とする。
【手続補正６】
【補正対象書類名】明細書
【補正対象項目名】００１３
【補正方法】変更
【補正の内容】
【００１３】
上記第２の観点にかかるスロットマシンでは、１ゲーム限りで消去される第１入賞表示結果の導出を許容する旨を示す決定情報と次ゲーム以降に持ち越し可能な第２入賞表示結果の導出を許容する旨を示す決定情報とのいずれが設定されているときにおいても、停止操作手段の操作を検出したことにより各可変表示部における変動表示が停止されるときには、最大遅延時間の範囲で導出可能な識別情報のうちから決定情報の設定に応じた識別情報を導出させるものとなっている。つまり、遊技者による停止操作手段の操作という技術介入により、偶然性の要素だけで入賞表示結果が導出されるのを防止して射倖性の抑制の担保が図られることとなる。
【手続補正７】
【補正対象書類名】明細書
【補正対象項目名】００１５
【補正方法】変更
【補正の内容】
【００１５】
また、ここで変動表示が停止されるときには、１ゲーム限りで消去される第１入賞表示結果の導出を許容する旨を示す決定情報が設定されている場合には、最大遅延時間の範囲で導出可能な識別情報のうちから決定情報の設定に応じた識別情報を導出させるものとなっている。つまり、遊技者による停止操作手段の操作という技術介入がなくても、決定情報の設定された第１入賞表示結果を導出できるときがあるので、遊技者が大きな不利益を受けることがない。
【手続補正８】
【補正対象書類名】明細書
【補正対象項目名】００１６
【補正方法】変更
【補正の内容】
【００１６】
一方、次ゲーム以降に持ち越し可能な第２入賞表示結果の導出を許容する旨を示す決定情報が設定されている場合には、決定情報の設定に関わらず第２入賞表示結果を構成しない識別情報を導出させるので、偶然性の要素だけで第２入賞表示結果が導出されることはなく、射倖性の抑制の担保を図ることができる。この場合において、第２入賞表示結果を導出できなくても、その決定情報は次ゲーム以降に持ち越されることとなるので、遊技者が大きな不利益を受けることがない。
【手続補正９】
【補正対象書類名】明細書
【補正対象項目名】００１７
【補正方法】変更
【補正の内容】
【００１７】
上記第１、第２の観点にかかるスロットマシンにおいて、
前記時間停止制御手段は、前記計時手段が所定の時間を計時したことにより変動停止条件が成立したときに、前記停止操作検出手段が前記停止操作手段の操作を検出したことにより変動停止条件が既に成立した可変表示部があるか否かに関わらずに、前記決定情報の設定に関わらず前記入賞表示結果（第２の観点にかかるスロットマシンでは、第２入賞表示結果）を構成しない識別情報を導出して変動表示を停止させるものとすることができる（ステップＳ２１８〜Ｓ２２２、Ｓ２２５〜Ｓ２２８）。
【手続補正１０】
【補正対象書類名】明細書
【補正対象項目名】００１９
【補正方法】変更
【補正の内容】
【００１９】
一方、前記時間停止制御手段は、前記計時手段が所定の時間を計時したことにより変動停止条件が成立したときに、前記停止操作検出手段が前記停止操作手段の操作を検出したことにより変動停止条件が既に成立した可変表示部があることを条件として、前記決定情報の設定に応じ識別情報を導出させるものとすることもできる（ステップＳ２３１〜Ｓ２３９）。
【手続補正１１】
【補正対象書類名】明細書
【補正対象項目名】００２０
【補正方法】変更
【補正の内容】
【００２０】
この場合には、所定の時間を計時するまでに一部の可変表示部だけでも遊技者が停止操作手段を操作して変動表示を停止させていれば、他の可変表示部について所定の時間の計時により変動表示が停止される場合であっても、決定情報に応じた識別情報によっては入賞表示結果を導出させることができる。このため、遊技者に停止操作手段の操作を促すことができながらも、遊技者に停止操作の意思があったにも関わらず、全く入賞表示結果が導出されなくなってしまうという不都合を回避することができるようになる。
【手続補正１２】
【補正対象書類名】明細書
【補正対象項目名】００２１
【補正方法】変更
【補正の内容】
【００２１】
上記第１、第２の観点にかかるスロットマシンにおいて、
前記時間停止制御手段は、前記計時手段が所定の時間を計時したことにより変動停止条件が成立した可変表示部が複数あるときに、該複数の可変表示部のうちで最終停止される１つ前に停止される可変表示部における識別情報の変動表示を停止させる最終前停止制御手段（ステップＳ２０３〜Ｓ２０８）を備えるものとしてもよい。この場合、
前記最終前停止制御手段は、前記最大遅延時間の範囲内で導出可能な識別情報のうちから入賞表示結果の一部を構成するリーチ表示態様を導出させることとなる識別情報を導出させると最終停止される可変表示部に識別情報を導出するときに前記入賞表示結果を導出することが不可避となる不能パターン（禁止目）と一致することとなるときに、該最大遅延時間の版にないで導出可能な識別情報のうちから該不能パターンを導出させない識別情報を導出させる者とすることができる（ステップＳ２０７、Ｓ２０８）。
【手続補正１３】
【補正対象書類名】明細書
【補正対象項目名】００２２
【補正方法】変更
【補正の内容】
【００２２】
この場合には、最終停止される可変表示部の前に不能パターンが出現することがないので、遊技者が停止操作手段を操作することなく計時手段が所定の時間を計時したことにより変動停止条件が成立した際に、入賞表示結果が導出されてしまうのを回避することができる。しかも、最終前停止制御手段は、決定情報の設定に関わらずに常に、不能パターンを導出させない制御を行うので、最終停止される可変表示部の変動表示が時間停止制御手段により停止されるときであっても、確実に入賞表示結果の導出を回避することができる。なお、第２の観点にかかるスロットマシンでは、第１入賞表示結果の導出を許容する旨を示す決定情報が設定されているときに該第１入賞表示結果を導出することが不可避となるパターンは、不能パターンから除外してもよい。
【手続補正１４】
【補正対象書類名】明細書
【補正対象項目名】００２９
【補正方法】変更
【補正の内容】
【００２９】
上記第１、第２の観点にかかるスロットマシンは、
前記時間停止制御手段により前記入賞表示結果を構成しない識別情報が導出されたときに、前記停止操作手段が操作されなかったことに基づいて識別情報が導出された旨を報知する非停止操作報知手段（液晶表示器、ステップＳ４０６）をさらに備えるものとすることができる。
【手続補正１５】
【補正対象書類名】明細書
【補正対象項目名】００３０
【補正方法】変更
【補正の内容】
【００３０】
この場合には、停止操作手段を操作しない限り入賞表示結果が導出されないことを遊技者に確実に認識させることができるので、停止操作手段の操作により可変表示装置に表示結果を導出させることを、遊技者にさらに促すことができるようになる。なお、操作停止制御手段により識別情報が導出されたときであっても、停止操作手段が操作されなければ入賞表示結果を構成しない識別情報が導出される旨を報知するものとしてもよい。